(57)【要約】【課題】本体側に設けられる排水ポンプと除菌用電極を、着脱可能とすることにより、点検、清掃をしやすくすることを目的とする。【解決手段】本体ケース１内の送風路に設けた保水手段５は、水槽８と、この水槽８に水を供給する複数の給水タンク９と、水槽８内の水に一部が浸漬した加湿部と、電解水を生成する電解ユニット１６と、水槽８内の残水を回収する回収タンク１２と、水槽８内の残水を回収タンク１２へ回収させる回収ポンプ１９と、送風路の一部となる略平板形状の仕切板２４とからなり、給水タンク９と回収タンク１２とは水槽８に着脱自在に設けられ、仕切板２４には、回収ポンプ１９と電解ユニット１６が設けられると共に、仕切板２４は、回収ポンプ１９と電解ユニット１６を備えた状態で水槽８に着脱自在なことを特徴とすることにより、スケール等の除去が容易に可能となり、製品の性能を維持するという効果を得られる。【選択図】図１
2013178059.tif 000002
【特許請求の範囲】
【請求項１】
吸気口と吹出口とを有する本体ケースと、この本体ケース内の前記吸気口から前記吹出口へ向かう送風路に送風手段と保水手段を設け、この保水手段は、天面が開口した横長四角箱形状で前記本体ケースに対して水平方向に着脱自在に設けられ水槽と、この水槽に水を供給する複数の給水タンクと、前記水槽内の水に一部が浸漬した加湿部と、電解水を生成する電解ユニットと、前記水槽内の残水を回収する回収タンクと、前記水槽内の残水を前記回収タンクへ回収させる回収ポンプと、前記送風路の一部となる略平板形状の仕切板とからなり、前記給水タンクと前記回収タンクとは前記水槽に着脱自在に設けられ、前記仕切板には、前記回収ポンプと前記電解ユニットが設けられると共に、前記仕切板は、前記回収ポンプと前記電解ユニットを備えた状態で前記水槽に着脱自在なことを特徴とする除菌加湿装置。
【請求項２】
前記電解ユニットは、前記仕切板に着脱自在な構成であることを特徴とする請求項１記載の除菌加湿装置。
【請求項３】
前記回収ポンプは、前記仕切板に着脱自在な構成であることを特徴とする請求項１または２に記載の除菌加湿装置。
【請求項４】
前記水槽内面には、前記仕切板が着脱自在な補助ガイドが設けられ、この補助ガイドは、前記水槽の対向する側面夫々から内方へ突出した垂直面である第１の垂直面と第２の垂直面とからなり、これら第１の垂直面と第２の垂直面とは平行であると共に、これら第１の垂直面と第２の垂直面との間に前記仕切板が着脱可能であることを特徴とする請求項１から３のいずれかに記載の除菌加湿装置。
【請求項５】
前記水槽の前記補助ガイドは、上辺が下辺より長い台形形状であることを特徴とする請求項４に記載の除菌加湿装置。
【発明の詳細な説明】
【技術分野】
【０００１】
本発明は、細菌、ウィルス、真菌等の空中浮遊微生物（以下、単に「ウィルス等」という）の除去が可能な除菌加湿装置に関するものである。
【背景技術】
【０００２】
この種の除菌加湿装置として、空気吸気口と吹出口とを有する本体ケースと、本体ケース内に設けられた送風手段と、その送風手段の送風路に吸い上げ式の保水手段と本体ケースに設けられた水槽と、この水槽に常に所定水位まで給水する給水タンクと、水槽内の水（電解水）の除菌作用を成す金属薄板製の除菌用電極とを備えた除菌加湿装置が知られている。
【先行技術文献】
【特許文献】
【０００３】
【特許文献１】特許第４７８１２８８号公報
【発明の概要】
【発明が解決しようとする課題】
【０００４】
このような従来の除菌加湿装置において、いままで排水ポンプと除菌用電極は、本体側に設けられており、使用者による点検、清掃がしづらかった。
【０００５】
また、電解水を利用する場合、比較的長い期間、同じ水を利用すると、水が次第に蒸発して、水道水に含まれているカルシウムやマグネシウムが濃縮してしまう。このようにカルシウムやマグネシウムが濃縮されると、前記保水手段を含む電解水の経路に炭酸カルシウムや炭酸マグネシウム等のスケールが析出しやすくなるという問題がある。
【０００６】
本発明は、点検、清掃のしやすくすることを目的とする。
【課題を解決するための手段】
【０００７】
吸気口と吹出口とを有する本体ケースと、この本体ケース内の前記吸気口から前記吹出口へ向かう送風路に送風手段と保水手段を設け、この保水手段は、天面が開口した横長四角箱形状で前記本体ケースに対して水平方向に着脱自在に設けられ水槽と、この水槽に水を供給する複数の給水タンクと、前記水槽内の水に一部が浸漬した加湿部と、電解水を生成する電解ユニットと、前記水槽内の残水を回収する回収タンクと、前記水槽内の残水を前記回収タンクへ回収させる回収ポンプと、前記送風路の一部となる略平板形状の仕切板とからなり、前記給水タンクと前記回収タンクとは前記水槽に着脱自在に設けられ、前記仕切板には、前記回収ポンプと前記電解ユニットが設けられると共に、前記仕切板は、前記回収ポンプと前記電解ユニットを備えた状態で前記水槽に着脱自在なことを特徴とする除菌加湿装置であり、これにより所期の目的を達成するものである。
【発明の効果】
【０００８】
本発明によれば、吸気口と吹出口とを有する本体ケースと、この本体ケース内の前記吸気口から前記吹出口へ向かう送風路に送風手段と保水手段を設け、この保水手段は、天面が開口した横長四角箱形状で前記本体ケースに対して水平方向に着脱自在に設けられ水槽と、この水槽に水を供給する複数の給水タンクと、前記水槽内の水に一部が浸漬した加湿部と、電解水を生成する電解ユニットと、前記水槽内の残水を回収する回収タンクと、前記水槽内の残水を前記回収タンクへ回収させる回収ポンプと、前記送風路の一部となる略平板形状の仕切板とからなり、前記給水タンクと前記回収タンクとは前記水槽に着脱自在に設けられ、前記仕切板には、前記回収ポンプと前記電解ユニットが設けられると共に、前記仕切板は、前記回収ポンプと前記電解ユニットを備えた状態で前記水槽に着脱自在なことを特徴とすることにより、お手入れ性をさらに向上することができるものである。
【０００９】
すなわち、水槽内に設けられた回収ポンプと電解ユニットが仕切板ごと脱着できることにより、水槽内の清掃等のお手入れのしやすさも向上することとなる。これにより、スケール等の除去が容易に可能となり、製品の性能を維持するという効果を得ることができる。
【図面の簡単な説明】
【００１０】
【図１】本発明の実施の形態１の除菌加湿装置の外形図
【図２】同除菌加湿装置の概略図
【図３】同除菌加湿装置の水槽、タンクの概略図
【図４】同除菌加湿装置のタンクの概略図
【図５】同除菌加湿装置の電解ユニットの概略図
【図６】同除菌加湿装置の排水ポンプの概略図
【図７】同除菌加湿装置の仕切板、排水ポンプ、電解ユニットの概略図
【図８】同除菌加湿装置の水槽の概略図
【図９】同除菌加湿装置の水槽の断面図
【発明を実施するための形態】
【００１１】
本発明の請求項１記載除菌加湿装置は、吸気口と吹出口とを有する本体ケースと、この本体ケース内の前記吸気口から前記吹出口へ向かう送風路に送風手段と保水手段を設け、この保水手段は、天面が開口した横長四角箱形状で前記本体ケースに対して水平方向に着脱自在に設けられ水槽と、この水槽に水を供給する複数の給水タンクと、前記水槽内の水に一部が浸漬した加湿部と、電解水を生成する電解ユニットと、前記水槽内の残水を回収する回収タンクと、前記水槽内の残水を前記回収タンクへ回収させる回収ポンプと、前記送風路の一部となる略平板形状の仕切板とからなり、前記給水タンクと前記回収タンクとは前記水槽に着脱自在に設けられ、前記仕切板には、前記回収ポンプと前記電解ユニットが設けられると共に、前記仕切板は、前記回収ポンプと前記電解ユニットを備えた状態で前記水槽に着脱自在という構成を有する。これにより、これまで回収ポンプや電解ユニットが水槽に固定して設けられていた部品を仕切板とともに着脱可能な構成としたので、水槽内壁に付着したスケール生成物を容易に除去することが可能となる。
【００１２】
また、仕切板に設けられた電解ユニットは、仕切板に着脱自在が可能な構成を有する。これにより、電解ユニットに付着したスケール生成物を容易に除去することが可能となる。
【００１３】
また、仕切板に設けられた回収ポンプは、仕切板に着脱自在が可能な構成を有する。これにより、回収ポンプに付着したスケール生成物を容易に除去することが可能となる。
【００１４】
また、水槽内面には、仕切板が着脱自在な補助ガイドが設けられ、この補助ガイドは、水槽の対向する側面夫々から内方へ突出した垂直面である第１の垂直面と第２の垂直面とからなり、これら第１の垂直面と第２の垂直面とは平行であると共に、これら第１の垂直面と第２の垂直面との間に仕切板が上方に着脱可能な構成を有する。これにより、所定の位置に仕切板を取付けることが可能で、かつ仕切板が倒れることがないため、通風路からの風の漏れを防ぐことが可能となる。
【００１５】
また、水槽の補助ガイドは、上辺が下辺より長い台形形状の構成を有する。これにより、補助ガイドに付着した水が、上辺から下辺に向かって水が落ちやすく、補助ガイドに水が溜まりにくくなるため、スケール生成物が蓄積しづらくなる。
【００１６】
以下、本発明の実施の形態について図面を参照しながら説明する。
【００１７】
（実施の形態１）
以下、本発明の一実施形態を添付図面を用いて説明する。図１から３に示すように、本実施形態の除菌加湿装置は、吸気口２と吹出口３とを有する本体ケース１と、この本体ケース１内の吸気口２から吹出口３へ向かう送風路に送風手段４と保水手段５とを備えている。
【００１８】
本体ケース１は、略箱形状で、本体ケース１の左右両側面には略四角形状の吸気口２を有し、本体ケース１の上面には略四角形状の吹出口３を備えている。本体ケース１の前面には、着脱式の本体正面ケース１５を備えている。
【００１９】
送風手段４は、本体ケース１の上部に設けられた電動機（図示しない）と羽根（図示しない）とそれらを囲む送風ケース１４とから形成している。
【００２０】
保水手段５は、本体ケース１の下部に設けられた水槽８と、この水槽８に水を供給する複数の給水タンク９と、水槽８内の水に一部が浸漬した加湿部３１と、電解水を生成する電解ユニット１６と、水槽８内の残水を回収する回収タンク１２と、水槽８内の残水を回収タンク１２へ回収させる回収ポンプ１９と、送風路の一部となる略平板形状の仕切板２４とから構成している。
【００２１】
水槽８は、本体ケース１内の下部に配置され、本体ケース１に対して水平方向に着脱自在に設けられている。水槽８は、天面が開口した横長四角箱形状で、後述する給水タンク９から常に一定量の水が給水される。水槽８内部には満水、渇水がわかるように磁石で反応するセンサー（図示しない）が設けられており、お手入れがしやすいよう、本体ケース１から引き出して着脱できる構造となっている。
【００２２】
給水タンク９は、図４に示すように、本体ケース１内部の正面側に設けられ、着脱式の本体正面ケース１５により、脱着可能な構造となっている。給水タンク９はポリエチレン製の樹脂と、給水タンク９への給水や排水、お手入れがしやすいよう所定の開口を塞ぐネジ式の蓋１０で構成されている。ネジ式の蓋１０には、水槽８への給水ができるようばね式の給水機構１１が形成されている。
【００２３】
電解ユニット１６は、図４に示すように、複数枚の金属板１７と、これらの金属板１７を挟み込んで固定する樹脂板１８とで構成している。これらの金属板１７に電圧を印加するための電圧印加手段（図示せず）も備えている。ここで、電圧印加手段によって、水槽８に給水された水に浸かった金属板１７に電圧を印加すると、水に含まれる化学物質が電気分解され、除菌効果を得る電解水を生成する。
【００２４】
回収タンク１２は、図３に示すように、ポリエチレン製の樹脂と、回収タンク１２からの排水、お手入れがしやすいよう所定の開口を塞ぐ脱着可能な蓋１３で構成されている。本体ケース１内部の正面側に設けられ、着脱式の本体正面ケース１５により、脱着が容易な構造で、給水タンク９に脱着が容易にできるように形成されている。回収タンク１２には回収ポンプ１９によって排水される水槽８の水が、確実に回収タンク１２に排水できるようホース２３が脱着可能な構造で接続できるようになっている。
【００２５】
回収ポンプ１９は、図６に示すように、吸込口と吐出口を有する送水ケース２１と、送水ケース２１内に設けられた複数枚の羽根を有する羽根車２０と、送水ケース２１の吐出口と回収タンク１２とを連通するホース２３とで構成される。羽根車２０が回転することによって、送水ケース２１の吸込口から吸い込んだ水は、ホース２３を通って、回収タンク１２へ送水される。なお、羽根車２０は、電動機によって回転するものである。なお、ホース２３は、回収タンク１２に着脱自在な構成である。
【００２６】
仕切板２４は、図７に示すように、横長四角の薄板で、回収ポンプ１９と電解ユニット１６とを着脱自在に固定できる。回収ポンプ１９は、仕切板２４に設けられた補助ガイド２６に固定され、電解ユニット１６は、補助ガイド２５に固定される。回収ポンプ１９と電解ユニット１６は、それぞれ補助ガイド２６、補助ガイド２５に沿って垂直上方に移動させると、仕切板２４から取り外すことができる。
【００２７】
送風手段４によって、吸気口２から吸い込まれた空気は、おもに本体ケース１と、仕切板２４と、水槽８とによって囲まれた風路を介して、保水手段５を通過し、本体ケース１の吹出口３から本体ケース１外に吹き出される。
【００２８】
本実施形態における特徴は、風路の一部である仕切板２４は、回収ポンプ１９と電解ユニット１６を備えた状態で水槽８に着脱自在な構造とした点である。水槽８を引き出した後に、仕切板２４を、水槽８に設けられた補助ガイド２７、補助ガイド２８に沿って垂直上方向に移動することで取り外すことができるものである。
【００２９】
すなわち、最初に、本体ケース１から本体正面ケース１５を外し、水槽８に装着されている給水タンク９を取り出す。そして、水槽８を本体ケース１から引き出すと、電解ユニット１６と電圧印加手段とが外れ、電気的に非導通状態となる。次に、回収ポンプ１９のホース２３を下方向へ移動させ回収タンク１２から外し、この回収タンク１２を水槽８から外す。この状態で、仕切板２４を掴んで、補助ガイド２７、補助ガイド２８に沿って垂直上方向に移動することで、仕切板２４と、回収ポンプ１９と、電解ユニット１６とを同時に取り外すことができる。最後に、加湿部３１を水槽８から取り外すものである。
【００３０】
このように、水槽８に設けられる部品である、仕切板２４と、回収ポンプ１９と、電解ユニット１６とを取り外し可能としたことで、水槽８のスケール付着物を容易に除去できる。
【００３１】
また、仕切板２４に設けられた電解ユニット１６は、仕切板２４に補助ガイド２６が設けられ、その補助ガイド２６に沿って垂直方向に上下することで着脱可能な構造を有する。
【００３２】
これにより、電解ユニット１６に付着したスケール生成物を容易に除去することが可能となる。また、電解ユニット１６は、そのまま交換することも可能な構造で、かつ電極周りを保護する樹脂で形成された部材は、取り外して電極に付着したスケール生成物を容易に除去することが可能である。
【００３３】
また、回収ポンプ１９の送水ケース２１は、仕切板２４に設けられた補助ガイド２５によって、垂直方向に上下することで着脱可能な構造を有する。
【００３４】
これにより、回収ポンプ１９に付着したスケール生成物を容易に除去することが可能となる。また、回収ポンプ１９は、構成する各部材を交換することも可能な構造で、かつ各部材は、それぞれ取り外して、部材に付着したスケール生成物を容易に除去することが可能である。
【００３５】
また、風路の一部である仕切板２４に、回収ポンプ１９と電解ユニット１６とを着脱自在な構成にすることにより、仕切板２４を水槽８に装着し忘れることを防止する。
【００３６】
また、図８、９に示すように、水槽内面には、仕切板２４が着脱自在な補助ガイド２８が設けられ、この補助ガイド２８は、水槽８の対向する側面夫々から内方へ突出した垂直面である第１の垂直面と第２の垂直面とからなり、これら第１の垂直面と第２の垂直面とは平行であると共に、これら第１の垂直面と第２の垂直面との間に仕切板が上方に着脱可能な構成を有する。これにより、所定の位置に仕切板を取付けることが可能で、かつ仕切板が倒れることがないため、通風路からの風の漏れを防ぐことが可能となる。
【００３７】
また、水槽８の補助ガイド２８は、補助ガイド上２９が補助ガイド下３０より長い台形形状の構成を有する。これにより、補助ガイド２８に付着した水は、補助ガイド上２９にたまった水が下方向に落ち行く際、補助ガイド下３０に向かって水を保持する面積が減るため、水が保持しづらく溜まりにくくなり、水槽８に水が落ちやすく、スケール生成物が蓄積しづらくなる。
【産業上の利用可能性】
【００３８】
本発明にかかる除菌加湿装置は、本体ケース内部の本体ケースに対して水平方向に着脱自在に設けられた水槽に着脱自在に設けられた仕切板には、回収ポンプと電解ユニットが設けられると共に、仕切板は、回収ポンプと電解ユニットを備えた状態で水槽に着脱自在な構造としたことにより、お手入れ性を向上することが可能とするもので、除菌加湿装置の分野として有用である。
【符号の説明】
【００３９】
１    本体ケース
２    吸気口
３    吹出口
４    送風手段
５    保水手段
８    水槽
９    給水タンク
１０  ネジ式の蓋
１１  ばね式の給水機構
１２  回収タンク
１３  蓋
１４  送風ケース
１５  本体正面ケース
１６  電解ユニット
１７  金属板
１８  樹脂板
１９  回収ポンプ
２０  羽根車
２１  送水ケース
２３  ホース
２４  仕切板
２５  補助ガイド
２６  補助ガイド
２７  補助ガイド
２８  補助ガイド
２９  補助ガイド上
３０  補助ガイド下
３１  加湿部
【図１】
2013178059.tif 000003
【図２】
2013178059.tif 000004
【図３】
2013178059.tif 000005
【図４】
2013178059.tif 000006
【図５】
2013178059.tif 000007
【図６】
2013178059.tif 000008
【図７】
2013178059.tif 000009
【図８】
2013178059.tif 000010
【図９】
2013178059.tif 000011